(57)【要約】【課題】本発明は、蓄電池を並べて配置し接続する際に生じる蓄電池同士の相対的な位置ずれ等の問題を解消し、施工も容易な接続体を提供する事を目的とする。【解決手段】本発明は、蓄電池同士を接続する蓄電池用接続体を複数の接続部品に分割し、これらを折り曲げて、折り曲げられた両端部には締結具挿通孔が形成され、蓄電池の出力端子と当接する部分の少なくとも一方に水平な長孔を穿設し、接続部品同士が当接する部分には水平な長孔と垂直な長孔など互いに向きの異なる長孔を穿設して交差する様に形成されているので、接続すべき蓄電池間に前後左右上下の全ての方向に蓄電池の位置ずれがあっても、長辺の長さの範囲で接続部品を摺動させ締結具挿通孔が連通した状態を維持できる。【選択図】図６
2017027677.tif 000002
【特許請求の範囲】
【請求項１】
両端に締結具挿通孔を有し、両端を互いに接続される蓄電池の出力端子に夫々当接した際に、該締結具挿通孔を夫々蓄電池の出力端子に形成された締結具挿通孔と連通させ、両締結具挿通孔に締結具を挿通締結して蓄電池同士を接続するための導体から形成される蓄電池用接続体であって、
ａ）該接続体は複数に分割された接続部品からなり、各接続部品は夫々平板形状の導体板が折り曲げられ、折り曲げられて形成された両端面にはいずれも締結具挿通孔が穿設され、該締結具挿通孔は円形もしくは長孔であって、
ｂ）互いに接続される蓄電池の出力端子に直接取り付けられる前記接続部品の該出力端子に当接する端面の少なくとも一方の締結具挿通孔は長孔として穿設され、接続部品同士が当接する端面には当接した際に互いの締結具挿通孔が交差する様に、互いに異なる向きに形成された長孔が穿設され、
ｃ）前記出力端子に当接する端面を蓄電池の出力端子に当接し、前記接続部品同士が当接して接続される端面を互いに当接して、締結具挿通孔を互いに連通させて締結具を挿通締結し、蓄電池同士を電気的に接続してなること、
を特徴とする蓄電池用接続体。
【請求項２】
ａ）前記接続部品は互いに接続される蓄電池の出力端子に直接取り付けられる端子取付部品と、該端子取付部品に取り付けられて該端子取付部品間を接続する部品間部品からなり、
ｂ）前記端子取付部品は平板形状の導体板をＬ字形状に折り曲げて形成され、出力端子に当接する端面の締結具挿通孔は該端子取付部品の長辺に対して水平な長孔が穿設され、部品間部品と当接する端面には長辺に対し垂直な長孔が穿設され、
ｃ）前記部品間部品は、平板形状の導体板の両端部が折り曲げられて中間面と両端面とが形成され、該両端面は互いに逆向きに平行となる様に折り曲げられ、かつ該両端面は互いに接続される蓄電池の出力端子に前記端子取付部品が当接して締結された際に該端子取付部品の部品間部品と当接する夫々の端面とも平行になる様に形成され、更に、該両端面の締結具挿通孔は該部品間部品の長辺に対し水平な長孔が穿設され、
ｄ）前記端子取付部品を接続する蓄電池の出力端子に夫々当接する際は、出力端子に当接させる端面は互いに向かい合い、部品間部品と当接する端面は互いに反対側を向く様に当接して互いの端子取付部品が点対称となる様にし、該部品間部品と当接する端面に該部品間部品の端面を当接して、締結具挿通孔を互いに連通させて締結具を挿通締結し、蓄電池同士を電気的に接続してなること、
を特徴とする請求項１に記載の蓄電池用接続体。
【請求項３】
少なくとも一つの長孔の形状は一端を開口させたＵ字型の切り欠き形状であることを特徴とする請求項１乃至２に記載の蓄電池用接続体。
【請求項４】
蓄電池の出力端子に当接される接続部品は、２枚の導体板によって該出力端子を挟持する様に当接することを特徴とする請求項１乃至３に記載の蓄電池用接続体。
【発明の詳細な説明】
【技術分野】
【０００１】
本発明は、複数個の蓄電池同士を電気的に接続する接続体に関するものであって、特に蓄電池を並べた際に生じる位置ずれを吸収可能な蓄電池用接続体を提供するものである。
【背景技術】
【０００２】
近年のコンピュータを核とした社会の高度情報化は、産業の電力への依存度を極めて高めた。特に、病院などの医療施設や大型のデータサーバを保有・運用する通信サービス事業などの分野では、電力供給の一瞬の空白や瞬時の電圧低下は重大な事故や損失を招きかねない。
【０００３】
蓄電池は、しばしば上記の様な非常時に備えたバックアップ電源として用いられる。複数個の蓄電池を導体で出来た接続体で直列や並列、またはその両方を利用して接続し、停電時には電力が復旧するまでの間、これを用いる機器が機能を賄うだけの要求電圧を維持し続けられる様に設計される。
【０００４】
ここで、蓄電池の一例として図９に２種類の制御弁式鉛蓄電池の外観図を示し、簡単に構造を説明する。蓄電池１は、電槽２に電極群からなる発電要素が収納され、蓋体３に穿設された貫通孔に前記発電要素から外部へと電気を取り出すための平板状の出力端子４が挿通された状態で、該電槽２が該蓋体３によって封止されて形成される。さらに該出力端子４には締結具挿通孔として貫通孔４１を形成し、ボルト締めにより簡単に外部と接続して電気を取り出せる様にしている。なお符号５は、ガス発生により内圧が急激に高まった際に、安全に放圧するために設けられた排気栓である。他方、蓄電池１ａは出力端子４ａを円柱形状に形成し、ナットインサート等により締結具挿通孔として雌ネジ部４１ａを穿設した例を図示した。
【０００５】
従来、前記蓄電池を複数個接続する際は、例えば図１０に示す様に、平板形状の導体からなる接続体６が用いられている。この接続体６は両端部に締結具挿通孔６１が穿設され、一方の蓄電池１のプラス側の出力端子４と他方の蓄電池１のマイナス側の出力端子４との間を渡す様に当接され、ボルト７が該出力端子４の貫通孔４１と締結具挿通孔６１に夫々挿通されて座金７２を介してナット７１で締結することで、隣接する蓄電池１同士が電気的に接続される。なお、図１０では２枚の接続体６で出力端子４を両側から挟み挟持する様に当接されているが、これは大電流を流すためのものであって、比較的電流が小さい用途で使用する場合は１枚で良い。
【０００６】
前記接続体６に穿設する締結具挿通孔６１を図示の様に該接続体６の長辺に対し水平な小判型の長円形状に形成すれば（以下、この様な形状の長孔を「小判孔」と表記する。）、図１１の如く蓄電池１が列の前後方向に対し離れて置かれ隙間９が生じた場合にも、該隙間９が小判孔の長辺の長さよりも小さい範囲において、出力端子４の貫通孔４１と該接続体６の小判孔６１とが連通した状態を維持しボルト７を挿通できるので、列に対して前後方向への位置ずれを吸収し問題なく締結できる。
【０００７】
一方、図１２に示した様に、出力端子４が蓄電池１の列に対し略直交する様に配置する場合は、接続体６ａの端子接続面６２が出力端子４の面と略平行になるように予め折り曲げておくことで、該接続体６ａの端子接続面６２を該出力端子４に当接させ、締結具挿通孔６１と貫通孔４１とが連通した状態でボルト７を挿通し座金７２を介してナット７１で締結して隣接する蓄電池同士を接続できる。
【０００８】
また、該端子接続面６２に前記接続体６ａの長辺に対し水平な小判孔６１を形成しておくことで、図１３の様に蓄電池１が列の左右方向に対しずれて置かれはみ出し１０が生じた場合でも、該はみ出し１０が小判孔６１の長辺の長さよりも小さい範囲において、出力端子４の貫通孔４１と該接続体６ａの小判孔６１とが連通した状態を維持しボルト７を挿通できるので、列に対して左右方向への位置ずれを吸収し締結することが可能である。
【０００９】
更に図１４に示した様に蓄電池１ａの出力端子４ａを円柱形状に形成した場合は、該出力端子４ａにナットを鋳込むかタップ孔を設けることで雌ネジ部４１ａを形成し、平板形状の接続体６ｂを該出力端子４ａに当接させ、該接続体６ｂに穿設した締結具挿通孔６１と前記出力端子４ａの雌ネジ部４１ａとが連通した状態でボルト７を挿通し締結することで隣接する蓄電池１ａ同士を接続できる。
【００１０】
上記の接続構造では、前記接続体６ｂに該接続体６ｂの長辺に対し水平な小判孔６１を形成しておくことで、図１５に図示した様に蓄電池１ａの列に対して隙間９ａが生じたりはみ出し１０ａが生じたりしても、該隙間９ａの大きさ及び該はみ出し１０ａの大きさの二乗和の平方が該前記小判孔６１の長辺の長さよりも小さい範囲において、出力端子４ａの貫通孔４１ａと該小判孔６１とが連通した状態を維持しボルト７を挿通できるので、列に対して前後左右方向の位置ずれを吸収し締結できる。
【００１１】
上記の他にも、特許文献１や特許文献２の様な接続構造が知られている。特許文献１は、第１の蓄電池上面の出力端子と第２の蓄電池側面の出力端子とを、長孔を設け断面Ｌ字に形成した接続体で接続することにより、上下左右及び前後の位置ずれを調整吸収するというものである。一方、特許文献２は重ね合わせたバスバーと接続プレートの端部に夫々長孔を形成して直交させ、ボルトで係合することで平面内の全方向に対する位置ずれを吸収できるという。
【先行技術文献】
【特許文献】
【００１２】
【特許文献１】特許第５００９０３０号公報
【特許文献２】特許第３４０９２３９号公報
【発明の概要】
【発明が解決しようとする課題】
【００１３】
しかしながら前述の夫々の接続体を用いた際、図１６の様に蓄電池１が列からはみ出して置かれて隙間９ｂを生じたり、図１７の様に蓄電池１が離れて置かれて隙間９ｃを生じたり、または図１８に示した様に蓄電池載置部の凹凸などの原因により隣の蓄電池１ａの出力端子４ａとの高さに差が生じ列の上下方向に対して接続体６ｂと出力端子４ａの隙間９ｄが生じたりすると、長孔による締結位置の自由度が意味を成さず、確実な締結ができなくなる。
【００１４】
蓄電池は、商用電源のバックアップや自家発電装置のエンジン始動用などの用途では大きな放電電流で使われるので、接続体は溶断しないように銅等の金属板に一定の幅と厚みを持たせて形成され、作業者の手では容易に曲げられない硬さである場合が多い。蓄電池自体も、容量によって１個あたりの重量が数十ｋｇから数百ｋｇもあるので、これを数ミリ単位で正確に動かして個々の蓄電池の位置や高さを微調整したうえで接続するのは作業が煩わしくなる。特に図１０乃至図１８では例として蓄電池を３個だけ接続した状態を描いたが、実際に定置用電源として使用する場合等には蓄電池が１列あたり数十個用いられ、それが複数列、複数段に配置され、全部で数百個接続する場合もあるので位置の調整作業には大変な労力を要する。
【００１５】
つまり前述の通り大容量の蓄電池は非常に重いため、位置ずれが生じた場合に蓄電池を置き直して調整することは大変な労力を要する。しかし接続体は硬質な金属平板を加工して形成されるために、蓄電池を動かさずに無理に取り付けようと過大な力で締結すると、蓄電池の出力端子に過剰な力が加わり、出力端子や電槽蓋にヒビ割れや欠損等を生じる問題があった。
【００１６】
もちろん位置ずれが小さければ、強く締結しても破損に至る心配は少ない。しかし、ボルトの締め付けにより接続体が多少撓んで見かけ上は正常に取り付けられたとしても、実際には出力端子と接続体の密着が充分でなく、該箇所の接触による電気抵抗が増大してしまう。この状態のまま大きな放電電流を流すと、接続体が過熱し最悪の場合は溶断に至る恐れもあった。
【００１７】
特許文献１の接続方法は、確かに隣接する電池同士の位置ずれについて、上下、前後、左右の各方向について調整が可能なように思われる。しかし該特許文献１は［発明が解決しようとする課題］の［０００５］項に記載の通り、２つの電池を横方向に並べる際に、両電池の相対位置関係の調整が可能に電池を配設できる組電池を提供することが課題であって、実際、位置ずれの調整は接続体を接続部上で摺動させるだけでなく、同時に電池を移動・回転させることによって行う必要があった。したがって大型で重量があり、矩形である蓄電池などに対しては、設置後に位置ずれを調整し吸収することは非常に困難である。
【００１８】
一方特許文献２の方法では、分割された接続体の長孔が直交するようにボルト等で係合するため、水平面内のずれ方向に対して調整できるものの、高さ方向のずれには対応できない。
【００１９】
本発明は、蓄電池を並べた際に前後左右上下のいずれの方向に対して位置ずれが生じても、蓄電池を動かすことなく係る位置ずれを吸収し、問題なく締結し接続可能な接続体を提供することを目的とする。更に本発明は、締結作業の際に締結具の取り落とし等を抑制し、施工が容易な接続体を提供する事を目的とする。
【課題を解決するための手段】
【００２０】
本発明の請求項１に係る発明は、蓄電池同士を接続するための導体から形成される蓄電池用接続体であって、該接続体は複数に分割された接続部品からなる。前記の各接続部品は夫々平板形状の導体板が折り曲げられ、折り曲げられて形成された両端面にはいずれも締結具挿通孔が穿設される。また、互いに接続される蓄電池の出力端子に当接される前記接続部品は、該出力端子に当接する端面の少なくとも一方の締結具挿通孔が該接続部品の長辺に対し水平な長孔として穿設され、接続部品同士が当接して接続される端面には当接されたときに互いの締結具挿通孔が交差する様に、互いに異なった向きに形成された長孔が穿設される。そして、夫々出力端子に当接する端面は蓄電池の出力端子と当接させ、接続部品同士が当接して接続される端面は互いに当接させて締結具挿通孔に締結具を相通して締結することで、蓄電池同士を電気的に接続してなることを特徴とする。
【００２１】
本発明の請求項２に係る発明は、特に接続部品として出力端子に当接される端子取付部品と、該端子取付部品に当接して該端子取付部品間を接続する部品間部品を組み合わせて形成される。前記端子取付部品は平板形状の導体板がＬ字形状に折り曲げて形成され、該端子取付部品の出力端子に当接する端面の締結具挿通孔は該端子取付部品の長辺に対し水平な長孔として穿設され、他方の部品間部品と当接する端面の締結具挿通孔は該長辺に対し垂直な長孔として穿設される。また前記部品間部品は、平板形状の導体板の両端部が折り曲げられて中間面と両端面とが形成され、該両端面は互いに逆向きに平行となる様に折り曲げられて、接続される蓄電池の出力端子に取り付けられる端子取付部品を出力端子に当接して締結された際に該端子取付部品の部品間部品と当接する夫々の端面と平行になる様に形成され、更に、該両端面の締結具挿通孔は該部品間部品の長辺に対し水平な長孔が穿設され、前記端子取付部品を接続する蓄電池の出力端子に夫々当接する際は、出力端子に当接させる端面は互いに向かい合い、部品間部品と当接する端面は互いに反対側を向く様に当接して点対称となる様にし、該部品間部品と当接する端面に部品間部品の端面を当接して、締結具挿通孔を互いに連通させて締結具を挿通締結し、蓄電池同士を電気的に接続してなることを特徴とする。
【００２２】
本発明の請求項３に係る発明は、少なくとも一つの長孔の形状が一端を開口させたＵ字型の切り欠き形状（以下「Ｕ字孔」と表記する。）であることを特徴とする蓄電池用接続体である。
【００２３】
本発明の請求項４に係る発明は、蓄電池の出力端子に当接される接続部品が、２枚の導体板によって該出力端子を挟持する様にしたことを特徴とする蓄電池用接続体である。
【発明の効果】
【００２４】
以上の通り、本発明は、蓄電池同士を接続する蓄電池用接続体を複数の接続部品に分割し、これらを折り曲げて、折り曲げられた両端面には締結具挿通孔が形成され、蓄電池の出力端子と当接する端面の少なくとも一方に水平な長孔を穿設し、接続部品同士が当接する端面には当接した際に互いの締結具挿通孔が交差する様に、互いに異なった向きに形成された長孔が穿設されているので、接続すべき蓄電池間に前後左右上下の全ての方向に蓄電池の位置ずれがあっても、長孔の長辺の長さの範囲で接続部品を摺動させ締結具挿通孔が連通した状態を維持できるので、蓄電池を動かすことなく締結具を挿通し簡単に蓄電池同士の接続作業を行える。
本発明は特に、大型で重量のある産業用の蓄電池に用いる場合に特に有効である。
【００２５】
更に、接続体をＬ字状に折り曲げられた端子取付部品と両端部を互いに逆向きに平行となる様に折り曲げて中間面と両端面とが形成された部品間部品とで形成し、端子取付部品の出力端子に当接させる端面は互いに向かい合い、部品間部品と当接する端面は互いに反対側を向く様に当接して互いの端子取付部品が点対称となる様にし、部品間部品と当接する端面に部品間部品の端面を当接して締結具を挿通締結することで、締結具の位置を互いに接続される蓄電池の境界から遠ざけて出力端子近傍に集中させられるので、蓄電池に異物の接触・侵入・付着等を防ぐため保護用の覆い蓋等を施す場合に、該覆い蓋に接続体を挿通するための開口部を小さく形成しても、締結具が該覆い蓋と干渉しない様にできる。更に地震等で複数の蓄電池を接続した組電池を載置した架台に振動が加わった場合も、本発明の接続体を用いれば締結具が該覆い蓋の開口部から離れているため、締結具が接触することによる該覆い蓋の破損も防止できる。
【００２６】
更に接続体に穿設される長孔の少なくとも一つの形状を、一端が開口したＵ字孔とした場合は、締結具を締結具挿通孔に挿通した状態で接続部品を着脱できる。すなわち互いに接続される接続部品の一方のＵ字孔でない締結具挿通孔に締結具を遊嵌状態で挿通し、他方のＵ字孔の一端の開口部に該締結具の挿通部を当接させ摺動させることで嵌合状態とし、該締結具を強く締結することでこれらの接続部品を接続できる。上記の様に接続部品に穿設された長孔の少なくとも一つをＵ字孔とすることで、予め他方の接続部品に締結具を遊嵌状態としておけば、締結作業中に作業者が締結具を蓄電池間の狭い隙間等に取り落とす心配がなくなり作業性に優れる効果を奏する。
【００２７】
特にボルトとナット、座金の様な部品が小さくかつ多い締結具を使用する場合には、本発明はより好ましい効果を奏するものである。
【００２８】
更に、蓄電池の出力端子に当接される接続部品を夫々２枚の導体板が該出力端子を挟持する様にすれば、該接続部品の重量当たりの表面積を大きくすることができるので、充放電の際に大きな熱が発生しても該接続部品と空気との熱交換により早期に冷却され、該接続部品の溶断等を防止できる。
【図面の簡単な説明】
【００２９】
【図１】本発明の第一の実施形態を示した斜視図である。
【図２】本発明の第二の実施形態を示した斜視図である。
【図３】本発明の第三の実施形態を示した斜視図である。
【図４】本発明の第四の実施形態を説明する斜視図である。
【図５】本発明の第四の実施形態を説明する斜視図である。
【図６】本発明の第四の実施形態を示した斜視図である。
【図７】本発明の第四の実施形態を説明する斜視図である。
【図８】蓄電池へ保護用の覆い蓋を冠着する方法を説明する斜視図である。
【図９】制御弁式鉛蓄電池の外観斜視図である。
【図１０】従来の蓄電池用接続体の一例を示した斜視図である。
【図１１】従来の蓄電池用接続体の一例を説明する斜視図である。
【図１２】従来の蓄電池用接続体の他の例を示した斜視図である。
【図１３】従来の蓄電池用接続体の他の例を説明する斜視図である。
【図１４】従来の蓄電池用接続体の更に他の例を示す斜視図である。
【図１５】従来の蓄電池用接続体の更に他の例を説明する斜視図である。
【図１６】図１０で示した従来の蓄電池用接続体では問題があることを説明する斜視図である。
【図１７】図１２で示した従来の蓄電池用接続体では問題があることを説明する斜視図である。
【図１８】図１４で示した従来の蓄電池用接続体では問題があることを説明する斜視図である。
【発明を実施するための形態】
【００３０】
次に図面を参照しながら、本発明の実施形態を詳細に説明する。
【００３１】
図１は、２個の接続部品１２、１２ａによって一列に配列された複数の蓄電池１を相互に接続した本発明の第一の実施形態による蓄電池用接続体を示した斜視図であり、特に蓄電池１は板状の出力端子４が垂直に形成され、該蓄電池１のマイナス側の出力端子４と隣接する蓄電池１のプラス側の出力端子４とが互いの面を平行に対向させて配列される場合を示したものである。
【００３２】
前記接続部品１２、１２ａは、夫々銅等の金属からなる長辺と短辺を有する長方形状の導体板を、長辺を直角に折り曲げて断面Ｌ字形状に形成し、蓄電池の出力端子に当接される夫々の端面（以下、「Ａ端面」と表記する。）の中央には締結具挿通孔として小判孔１２１を該接続部品１２、１２ａの長辺に対し水平に穿設した。更に、接続部品１２、１２ａ同士が当接される他の端面（以下、「Ｂ端面」と表記する。）にも締結具挿通孔として小判孔が穿設されるが、蓄電池１のマイナス側の出力端子に当接される接続部品のＢ端面には接続部品の長辺に対し水平な小判孔１２１ａを２つ平行に上下に穿設し、隣接する蓄電池１のプラス側の出力端子に当接される接続部品１２ａのＢ端面には、接続部品の長辺に対し垂直な小判孔１２１ｂを２つ一直線状に上下に穿設し、マイナス側の出力端子に当接される接続部品１２のＢ端面に穿設した締結具挿通孔とは向きを異ならせた。
【００３３】
これらを用いて蓄電池同士を接続するには、まず該接続部品１２、１２ａのＡ端面を、互いのＢ端面が向かい合う様に隣接する蓄電池１、１のマイナス側とプラス側の出力端子４、４に夫々当接させ、該Ａ端面の小判孔１２１と出力端子４の貫通孔４１とが連通した部分に締結具としてのボルト７を挿通し、該ボルト７に座金７２を介してナット７１を螺合して遊嵌状態で固定した。更に、該接続部品１２、１２ａ同士がＢ端面で当接する様に夫々のＡ端面を蓄電池１の出力端子４の当接面上で摺動させ、該Ｂ端面同士が当接した際に夫々のＢ端面の小判孔１２１ａと１２１ｂは２つとも夫々互いに直交し一部で連通した状態となり、該２つの連通した部分に夫々締結具としてボルト７を挿通し、該ボルト７に座金７２を介してナット７１を螺合し締結すると共に夫々Ａ端面も出力端子に締結し、隣接した蓄電池１同士を電気的に接続した。
【００３４】
このような蓄電池用接続体を用いることで、蓄電池１の列に、列方向に直行する左右のずれがあった場合は、互いに向かい合うＢ端面も互いに左右にずれるが、一方のＢ端面に穿設された水平な小判孔１２１ａにより、他方のＢ端面の垂直な小判孔１２１ｂとの連通は保たれ、ずれが吸収されて接続が可能であり、蓄電池の列に、蓄電池間の上下のずれがあった場合は、互いに向かい合うＢ端面も互いに上下にずれるが、他方のＢ端面に穿設された垂直な小判孔１２１ｂにより、一方のＢ端面の水平な小判孔１２１ａとの連通は保たれ、ずれが吸収されて接続が可能であり、更に蓄電池の列に、蓄電池間の隙間が生じ前後のずれがあった場合は、Ａ端面の水平な小判孔１２１により蓄電池１の出力端子４に形成された貫通孔４１との連通は保たれ、ずれが吸収されて接続可能であり、従って、左右、上下、前後いずれの場合も位置ずれを吸収することができる。
【００３５】
なお、該接続部品のＡ端面に穿設される締結具挿通孔は、両方とも小判孔とする必要はなく、いずれか一方のみを円形の孔としても良い。更に、該接続部品のＢ端面に穿設される締結具挿通孔としての小判孔の向きは上記の実施形態に制限されず、マイナス側を該接続部品の長辺に対し垂直とし、プラス側を水平としても良いし、マイナス側を該接続部品の長辺に対し４５度の傾斜を持つ小判孔とし、プラス側を−４５度の傾斜を持つ小判孔としても良く、要は、小判孔の向きを異ならせ互いに当接した際に交差する様にすれば良い。
【００３６】
図２は一列に配列された複数の蓄電池１ａを２個の接続部品１２、１２ａによって接続した本発明の第二の実施形態による蓄電池用接続体を示した斜視図であり、特に蓄電池１ａの出力端子４ａが円柱形状に形成された場合を示したものである。接続部品１２、１２ａは第一の実施形態でＢ端面に２個の小判孔を１個にした事と、その向きを逆にした事以外は第一の実施形態と同様であり、この場合も蓄電池同士を接続するには、まず接続部品１２、１２ａのＡ端面を、互いのＢ端面が向かい合う様に隣接する蓄電池１ａ、１ａのマイナス側とプラス側の出力端子４ａ、４ａの頂面に夫々当接させ、該Ａ端面の小判孔１２１と出力端子４ａの雌ネジ部４１ａとが連通した状態で、ボルト７をＡ端面の小判孔１２１を介して雌ネジ部４１ａへ螺合して遊嵌状態で固定し、該接続部品１２、１２ａ同士がそのＢ端面で当接する様にそれぞれＡ端面を蓄電池１ａの出力端子４ａの当接面上で摺動させ、該Ｂ端面同士が当接した際に各々のＢ端面の小判孔１２１ａと１２１ｂとが互いに直交し一部で連通した状態となり、該連通した部分にボルト７を挿通し座金７２を介してナット７１を螺合し締結すると共に、夫々Ａ端面も出力端子４ａに締結し、隣接した蓄電池１ａ同士を電気的に接続した。
【００３７】
図３は一列に配列された複数の蓄電池１を３個の接続部品によって接続した本発明の第三の実施形態による蓄電池用接続体を示した斜視図であり、該蓄電池用接続体が、出力端子４に直接取り付ける接続部品（以下、「端子取付部品」と表記する。）１２と、該端子取付部品１２に取り付けられて該端子取付部品間を接続する接続部品（以下、「部品間部品」と表記する。）１３を組み合わせて形成される場合を示し、該蓄電池１は板状の出力端子４が垂直に形成され、該蓄電池１のマイナス側の出力端子４と隣接する蓄電池１のプラス側の出力端子４とが互いに面一となるように配列される場合を図示したものである。
【００３８】
前記端子取付部品１２は、銅等からなる長辺と短辺を有する長方形状の導体板を、長辺を略直角に折り曲げて断面Ｌ字形状に形成し、出力端子４に当接するＡ端面には締結具挿通孔としての小判孔１２１を該接続部品の長辺に対し水平に穿設し、該端子取付部品１２の他方のＢ端面には締結具挿通孔として、該端子取付部品１２の長辺に対し垂直かつ該端子取付部品１２の一方（図示の例では上方）の長辺に開口したＵ字孔１２２からなる長孔を穿設した。この様な端子取付部品を、長さと折り曲げ位置を異ならせ２種類用意した。
【００３９】
前記部品間部品１３は、銅等からなる長辺と短辺を有する長方形状の導体板を、長辺を２箇所で直角に折り曲げて中間面１３１と両端面１３２とを形成し、該両端面は略同じ大きさで互いに略平行となる様に中間面１３１との境界で同じ方向に折り曲げ、該中間面１３１と該両端面１３２とのなす角度は、蓄電池１の出力端子４に夫々端子取付部品１２を取り付けた際に該端子取付部品１２のＢ端面に該両端面１３２が平行に当接する様に形成し、該両端面１３２には締結具挿通孔として、該部品間部品１３の長辺に対し水平な小判孔１３３を穿設した。なお、形成される両端面はいずれも接続部品同士が接続される端面である。
【００４０】
これらを用いて蓄電池同士を接続するには、まず種類の異なる２枚の前記端子取付部品１２のＡ端面を蓄電池１の出力端子４を挟み込む様に夫々当接させ、該Ａ端面の小判孔１２１と出力端子４の貫通孔４１とが連通した部分にボルト７を挿通し、該ボルト７に座金７２を介してナット７１を螺合して遊嵌状態とした。この時、種類の異なる端子取付部品１２のＢ端面は互いに当接し、該Ｂ端面に穿設されたＵ字孔が重なり合う様に形成されている。更に、前記部品間部品１３の両端面１３２の小判孔１３３にボルト７を挿通し、該ボルト７に座金７２を介してナット７１を螺合して遊嵌状態とし、該端子取付部品１２の夫々のＢ端面と該部品間部品１３の両端面１３２とが当接する様に該端子取付部品１２の夫々のＡ端面を蓄電池１の出力端子４の当接面上で摺動させ、該部品間部品１３の両端面１３２と該端子取付部品１２のＢ端面とが当接した際に該Ｂ端面の夫々のＵ字孔１２２に両端面１３２の小判孔１３３に遊嵌状態のボルト７の軸部をＵ字孔内へ摺動させることで緩嵌合状態とし、出力端子４の部分も含め夫々ボルトにナットを螺合して強く締結することで、隣接した蓄電池１同士を電気的に接続した。
【００４１】
なお端子取付部品のＢ端面に穿設されるＵ字孔の向きは上記の実施形態に制限されず、該端子取付部品の長辺に対し水平に形成しても良い。その場合、部品間部品の両端面に穿設される小判孔は該Ｕ字孔と直交する様に、該部品間部品の長辺に対し垂直に形成されるものである。また、図３に示した本発明の実施形態では２枚の端子取付部品１２で出力端子４を挟持しているが、これは大電流を流した際の放熱性を良好にするためのものであって、比較的電流が小さい用途で使用する場合は１枚で良い。
【００４２】
図４乃至図７は一列に配列された複数の蓄電池１を３個の接続部品によって接続した本発明の第四の実施形態による蓄電池用接続体を示した斜視図であり、該蓄電池用接続体が出力端子に直接取り付ける２個の端子取付部品１２と、該端子取付部品１２に取り付けられて該端子取付部品間を接続する部品間部品１３を組み合わせて形成される場合を示し、該蓄電池１は板状の出力端子４が垂直に形成され、該蓄電池１のマイナス側の出力端子４と隣接する蓄電池１のプラス側の出力端子４とが互いの面を平行に対向させて配列される場合を図示したものである。
【００４３】
該端子取付部品１２は、銅等の金属からなる長辺と短辺とを有する長方形状の導体板を、長辺で略直角に折り曲げて断面Ｌ字形状にし、該端子取付部品１２の出力端子４に当接するＡ端面には該端子取付部品１２の長辺に対し水平な小判孔１２１を穿設し、他方のＢ端面には夫々該端子取付部品１２の長辺に対し垂直かつ該端子取付部品１２の上方の長辺に一端を開口したＵ字孔１２２を穿設した。この様な端子取付部品を長さと折り曲げ位置を異ならせて２種類用意した。
【００４４】
前記部品間部品１３は、銅等の平板形状の導体板を、その長辺を２箇所で折り曲げて中間面１３１とその両端面１３２とを形成し、該両端面１３２は互いに略平行となる様に中間面１３１との境界で夫々反対の方向に折り曲げ、該中間面１３１と該両端面１３２とのなす角度は、隣接した蓄電池１の出力端子４に夫々端子取付部品１２を取り付けた際に該端子取付部品１２のＢ端面に該両端面１３２が平行する様に形成し、該両端面１３２には、該部品間部品１３の長辺に対し水平な小判孔１３３を穿設した。
【００４５】
これらを取り付ける際は、まず前記端子取付部品１２のＡ端面を蓄電池１の出力端子４を挟み込む様に夫々当接させ、該Ａ端面の小判孔１２１と出力端子４の貫通孔４１とが連通した部分にボルト７を挿通し、該ボルト７に座金７２を介してナット７２を螺合して遊嵌状態とした。この時、種類の異なる端子取付部品１２のＢ端面は互いに当接し、該Ｂ端面に穿設されたＵ字孔が重なり合う様に形成されている。ここで、該端子取付部品１２が蓄電池１の出力端子４に当接する際は、夫々のＢ端面が互いに反対側を向く様にして、端子取付部品が互いに点対称の位置関係になる様にした。
【００４６】
更に、前記部品間部品１３の両端面１３２の小判孔１３３にボルト７を挿通し、該ボルト７に座金７２を介してナット７１を螺合して遊嵌状態とし、該端子取付部品１２の夫々のＢ端面と該部品間部品１３の両端面１３２とが当接する様に該端子取付部品１２の夫々のＡ端面を蓄電池１の出力端子４の当接面上で摺動させ、該部品間部品１３の両端面１３２と該端子取付部品１２のＢ端面とが当接した際に該Ｂ端面の夫々のＵ字孔１２２に両端面１３２の小判孔１３３に遊嵌状態のボルト７の軸部をＵ字孔内へ摺動させることで緩嵌合状態とし、出力端子４の部分も含め夫々ボルトにナットを螺合して強く締結することで、隣接した蓄電池１同士を電気的に接続した。
【００４７】
なお、端子取付部品のＢ端面に穿設されるＵ字孔の向きは上記の実施形態に制限されず、該端子取付部品の長辺に対し水平に形成しても良い。その場合、部品間部品の両端面に穿設される小判孔は該Ｕ字孔と直交する様に、該部品間部品の長辺に対し垂直に形成されるものである。また、図４乃至図７に示した本発明の実施形態では２枚の端子取付部品１２で出力端子４を挟持しているが、これは大電流を流した際の放熱性を良好にするためのものであって、比較的電流が小さい用途で使用する場合は１枚で良い。
【００４８】
また、蓄電池には異物の接触・侵入・付着等による短絡を防ぐため保護用の覆い蓋を施しても良い。例えば図８に図示した様に、下方に開口した直方体形状の蓋体３０をポリプロピレンやポリエチレン、ＡＢＳ樹脂等の樹脂で形成し、該覆い蓋３０の短側面３１の中央には下端に開口した台形形状の切り欠き部３１１を、該覆い蓋３０が蓄電池１に冠着された際に、部品間部品１３と干渉しない様な高さと幅に形成した。該覆い蓋３０は蓄電池１の電槽蓋３に嵌合させて冠着できる。
【００４９】
更に図８に図示した様に、接続体をＬ字状に折り曲げられた端子取付部品１２と両端部を互いに逆向きに平行となる様に折り曲げて中間面と両端面とが形成された部品間部品１３とで形成し、端子取付部品１２の出力端子４に当接させる端面は互いに向かい合い、部品間部品１３と当接する端面は互いに反対側を向く様に当接して互いの端子取付部品１２が点対称となる様にし、部品間部品１３と当接する端面に部品間部品１３の端面を当接してボルト７を挿通し座金７２を介してナット７１を螺合して締結することで、該ボルト７等の締結具の位置を互いに接続される蓄電池１の境界から遠ざけて出力端子４近傍に集中させられるので、前記覆い蓋３０の切り欠き部３１１を小さく形成しても、締結具が該覆い蓋３０と干渉しない様にできる。更に地震等で複数の蓄電池を接続した組電池を載置した架台に振動が加わった場合も、締結具が該覆い蓋の開口部から離れているため、締結具が接触することによる該覆い蓋の破損も防止できる。
【００５０】
以上の通り、本発明は、蓄電池同士を接続する蓄電池用接続体を複数の接続部品に分割し、これらを折り曲げて、折り曲げられた両端部には締結具挿通孔が形成され、蓄電池の出力端子と当接する端面の少なくとも一方に水平な長孔を穿設し、接続部品同士が当接する端面には締結具挿通孔が交差する様に、互いに異なる向きの長孔が形成されているので、接続すべき蓄電池間に前後左右上下の全ての方向に蓄電池の位置ずれがあっても、長孔の長辺の長さの範囲で接続部品を摺動させ締結具挿通孔が連通した状態を維持できるので、蓄電池を動かすことなく締結具を挿通し簡単に蓄電池同士の接続作業を行える。
【００５１】
例えば図１６に図示した様に、蓄電池の列が完全に真っ直ぐではなく多少のはみ出しが有っても、接続部品のＢ端面の交差する小判孔の範囲内でボルトの締結位置を左右方向に調整することで、係る隙間を吸収して問題なく接続体を締結できる。
【００５２】
また図１７に図示した様に、ある箇所の蓄電池だけ離れて置かれ、隣の電池との間隔が不均等になっていても、接続部品の締結具挿通孔の内、蓄電池の列の前後方向に対し水平な向きに穿設された小判孔の範囲内で、ボルトの締結位置を列に対して前後方向に調整すれば良い。
【００５３】
更に図１８に図示した様に、電池載置部に凹凸が有り隣の電池の出力端子との高さに差が有る場合には、端子取付部品同士が互いに当接する端面の交差する小判孔の範囲内でボルトの締結位置を上下方向に調整すれば良い。
【００５４】
以上より、本発明の蓄電池接続体を使用すれば、蓄電池を並べた際に位置ずれが生じた場合であっても、蓄電池を一切動かすことなく、また接続体のボルト締めを過大な力によって行い硬い接続体を撓ませて無理に締結することなく、前記位置ずれを吸収し、隣接する蓄電池同士を電気的に接続できる。
本発明は特に、大型で重量のある産業用の蓄電池に用いる場合に特に有効である。
【符号の説明】
【００５５】
１、１ａ  蓄電池
４        出力端子
４１      貫通孔
７        ボルト
７１      ナット
７２      座金
１２      接続部品（端子取付部品）
１２ａ    接続部品
１２１、１２１ａ、１２１ｂ、１３３    小判孔
１２２    Ｕ字孔
１３      接続部品（部品間部品）
１３１    中間面
１３２    両端面
【図１】
2017027677.tif 000003
【図２】
2017027677.tif 000004
【図３】
2017027677.tif 000005
【図４】
2017027677.tif 000006
【図５】
2017027677.tif 000007
【図６】
2017027677.tif 000008
【図７】
2017027677.tif 000009
【図８】
2017027677.tif 000010
【図９】
2017027677.tif 000011
【図１０】
2017027677.tif 000012
【図１１】
2017027677.tif 000013
【図１２】
2017027677.tif 000014
【図１３】
2017027677.tif 000015
【図１４】
2017027677.tif 000016
【図１５】
2017027677.tif 000017
【図１６】
2017027677.tif 000018
【図１７】
2017027677.tif 000019
【図１８】
2017027677.tif 000020